(57)【要約】【課題】安定性と施工性を向上することができる軽量ブロック体及びこれを使用した盛土構造体を提供することを目的とする。【解決手段】石炭灰を固結して六角柱体に形成し、内部に貫通孔２１を設けて軽量ブロック体２０を構成する。この軽量ブロック体２０を階層的に積み上げてハニカム構造体とし、軽量ブロック体２０の前面にパネル３１からなる壁体３０を設置して盛土構造体１０を構築する。【選択図】　　　　図１
2004011108.tif 000002
【特許請求の範囲】
【請求項１】
階層的に積み上げて盛土構造体を構築する軽量ブロック体であって、
前記軽量ブロック体は、リサイクル材である石炭灰を混合固結して多角柱体に形成してなることを特徴とする、
軽量ブロック体。
【請求項２】
請求項１に記載する軽量ブロック体において、
多角柱体を六角柱体としたことを特徴とする、軽量ブロック体。
【請求項３】
請求項１または請求項２に記載する軽量ブロック体において、
軽量ブロック体の上面、底面及び側面に凹部または凸部を形成し、隣接する軽量ブロック体との嵌合を可能にしたことを特徴とする、軽量ブロック体。
【請求項４】
請求項１乃至請求項３のいずれかに記載する軽量ブロック体において、
内部に貫通孔を設けたことを特徴とする、軽量ブロック体。
【請求項５】
請求項１乃至請求項４のいずれかに記載する軽量ブロック体において、石炭灰をセメントで固結したことを特徴とする、軽量ブロック体。
【請求項６】
軽量ブロック体を階層的に積み上げて構築する盛土構造体であって、
盛土構造体の前面に壁体を設置し、
前記壁体背面と斜面との間に形成される空間に請求項１乃至請求項５のいずれかに記載する軽量ブロック体を積み上げて構築する、
盛土構造体。
【発明の詳細な説明】
【０００１】
【発明の属する技術分野】
本発明は、軽量ブロック体及びこれを使用した盛土構造体に関する。
【０００２】
【従来の技術】
盛土構造体を構築する場合、軽量性、衝撃緩和性、加工容易性などの特性を活かして発泡スチロール材を盛土材として使用するＥＰＳ工法が知られている。ブロック形状の発泡スチロール材を一定規則に従って積み上げて形成していき、その外面部分を土砂などで覆うことによって盛土構造体を構築する。
ところで、石炭を燃料とする火力発電所においては、石炭の燃焼により石炭灰が生成される。この石炭灰は従来廃棄されていたが、廃棄場所の確保が困難となりつつあるため、その処理が問題となっているのが現状である。
【０００３】
【発明が解決しようとする課題】
＜イ＞ＥＰＳ工法の場合、盛土材として使用する発泡スチロール材が高価である。また、発泡スチロールブロック同士を連結するために特殊な連結部材を必要とするため、工事が複雑化し、工期が長期化するおそれがある。さらに発泡スチロールは燃えやすいため、施工管理が難しい。
＜ロ＞石炭灰の廃棄場所の確保が困難であるとともに、処理費用が年々高くなっている。
【０００４】
【発明の目的】
本発明は上記事情に鑑みてなされたもので、施工性を向上することのできる軽量ブロック体及びこれを使用した盛土構造体を提供することを目的とする。
また本発明は、資源のリサイクルという観点から、石炭灰の有効利用を図るようにした軽量ブロック体及びこれを使用した盛土構造体を提供することを目的とする。
さらに本発明は、安全に施工できる軽量ブロック体及びこれを使用した盛土構造体を提供することを目的とする。
本発明は、上記目的のうち少なくとも一つを達成するようにしたものである。
【０００５】
【課題を解決するための手段】
上記のような目的を達成するために、本発明の軽量ブロック体は、階層的に積み上げて盛土構造体を構築する軽量ブロック体であって、前記軽量ブロック体は、リサイクル材である石炭灰を混合固結して多角柱体に形成してなることを特徴とするものである。
【０００６】
ここで、多角柱体を六角柱体とすることができる。また、軽量ブロック体の上面、底面及び側面に凹部または凸部を形成し、隣接する軽量ブロック体との嵌合を可能とすることができる。さらに内部に貫通孔を設けることができる。
【０００７】
また、本発明の盛土構造体は、軽量ブロック体を階層的に積み上げて構築する盛土構造体であって、盛土構造体の前面に壁体を設置し、壁体背面と斜面との間に形成される空間に前記した軽量ブロック体を積み上げて構築するものである。
【０００８】
ここで、軽量ブロック体背面と斜面との隙間に軽量土を充填して盛土構造体を構築してもよい。
【０００９】
【発明の実施の形態１】
以下、図面を参照しながら、本発明に係る一実施の形態について説明する。
図１に軽量ブロック体を積み上げた斜視図を示し、図２に軽量ブロック体を積上げて完成した盛土構造体の断面図を示す。
図３は、盛土構造体の前面に設置する壁体の斜視図である。
【００１０】
＜イ＞盛土構造体１０
盛土構造体１０は、軽量ブロック体２０を階層的に積み上げて構築する。
積み上げた軽量ブロック体２０の前面に壁体３０を設置して、軽量ブロック体２０を被覆保護する（図２参照）。
この盛土構造体１０を切土や盛土した斜面に構築し、背面の土を支え、崩壊を防ぐ。また、平地に軽量ブロック体２０を積み上げて、表面を土砂で覆って盛土構造体１０とすることもできる。
【００１１】
＜ロ＞軽量ブロック体２０
軽量ブロック体２０は、リサイクル材である石炭灰などをセメント、固結材、発泡剤と混合固結してなる。
軽量ブロック体２０の形状は多角柱体状を呈する。多角柱体は、三角柱体、四角柱体、六角柱体、八角柱体等が考えられる。
本例では、軽量ブロック体２０を上面２２、底面２３、側面２４及び両端面２５からなる六角柱体に形成する。六角柱体の内部軸方向に貫通孔２１を開口し、軽量化を図る。貫通孔２１は、電線や光ファイバーなどの配線路として使用することができる。
なお、貫通孔２１は省略してもよい。
廃棄物である石炭灰を混合固結して軽量ブロック体２０とするので、安価に製作することができ、従来の発泡スチロール材で製作する場合に比べて経済的である。なお、石炭灰などの替わりに、産業廃棄物として最終処分された生ごみ、木屑、紙屑等の可熱物を焼却して得られる焼却灰を用いてもよい。
軽量ブロック体２０が六角柱体であるため、上面２２、底面２３、側面２４の各面に隣接して、別の軽量ブロック体２０をハニカム状に積み上げることができる（図１参照）。積み上げた軽量ブロック体２０は剛性の高いハニカム構造体のため、従来のようにブロック体同士を連結するための連結部材を必要としない。
【００１２】
＜ハ＞壁体３０
壁体３０は、盛土構造体１０の前面に設置する保護壁体で、複数のパネル３１で構成する。パネル３１は、プレキャストコンクリート板、コンクリート板、鋼板などからなる。
パネル３１の製作時に、所定の割合で石炭灰を使用し、壁体３０の軽量化と製作コストの低減を図ることができる。
パネル３１は、サイズが縦約１メートル、横約２メートル程度であり、複数のパネル３１を上下左右に接続して、盛土構造体１０の前面に設置する。
【００１３】
パネル３１の前面３２に接続具３３を設ける。接続具３３は、例えば突起３４Ａ、３４Ｂと、これらを締結するボルト３６で構成する。
図３に示すように、パネル３１の上部及び下部に適宜突起３４Ａ、３４Ｂを設け、突起３４Ａにボルト孔３５を開口し、突起３４Ｂにネジ孔（図示せず）を設ける。ボルト３６をボルト孔３５から挿入し、ネジ孔に締め付けて上下のパネル３１を接続する。
【００１４】
パネル３１を積み上げて接続する場合、図示していないが、接続面に凹凸形状部を形成し、凹凸嵌合によって互いにずれないようにする。
また、図示していないが、パネル３１の側面も凹凸嵌合によって互いにずれることがないようにする。
【００１５】
次に図を参照しながら軽量ブロック体２０を積み重ねて盛土構造体１０を構築する場合について説明する。
【００１６】
＜イ＞基礎ブロック４０の設置
盛土構造体１０を構築するに当たっては、先ず、盛土予定地の地盤内にアンカー４２を圧入し、基礎ブロック４０を設置する（図２参照）。
軽量ブロック体２０を設置する箇所に基礎コンクリート４１を施工する。基礎コンクリート４１は、現場打ちコンクリートまたはプレキャストコンクリートによって形成し、必要に応じてアンカーなどで地盤に固定する。
【００１７】
＜ロ＞壁体３０の設置
クレーンなどを用いて基礎ブロック４０の上にパネル３１を順次積み上げていく。積み上げたパネル３１の前面３２から接続具３３を用いて、複数のパネル３１を接続し、壁体３０を形成する。
【００１８】
＜ハ＞軽量ブロック体２０の設置
基礎コンクリート４１の上に、工場などで製作した軽量ブロック体２０を、その底面２３を下にして設置する。
この場合、軽量ブロック体２０の側面２４が、壁体３０の設置方向と平行になるように横一列に設置する。軽量ブロック体２０を横一列に設置する場合、貫通孔２１が連続するように設置する。
１段目の軽量ブロック体２０を設置したら、この１段目の軽量ブロック体２０の上に２段目の軽量ブロック体２０を１段目と同様にして横一列に設置する。
このようにして軽量ブロック体２０を積層していく。
なお、パネル３１を１段設置したら、パネル３１の背面側と斜面８０との間に軽量ブロック体２０を設置し、この作業を順次繰り返してパネル３１を所定段数だけ積み上げて壁体３０を形成するとともに、背面側に軽量ブロック体２０を積層してもよい。
積み上げた軽量ブロック体２０の背面側と斜面８０との間には隙間が生じる（図２参照）。
なお、斜面８０に軽量ブロック体２０を押し込んで、隙間を生じることなく設置してもよい。
【００１９】
＜ニ＞埋め戻し
軽量ブロック体２０の背面側と斜面８０との間の隙間に軽量土５０を充填して埋め戻しする。軽量土５０は、例えば石炭灰、固結材、発泡剤及び水を混合して比重１以下とした流動化盛土材を使用し、隙間に回り込んで充填できるようにする。石炭灰を用いた流動化盛土材を利用することで、軟弱地盤上では、軽量のため、運搬、施工性に富んでおり、地盤の沈下を抑制でき、地盤の条件によっては地盤改良が不要となる。
この埋め戻しは１段目の施工ごとに行っていく。
【００２０】
積み上げた軽量ブロック体２０の最上段は、埋戻土６０で埋め戻して盛土構造体１０を構築する。埋戻土６０は、例えば石炭灰を土砂に混合して構成する石炭灰混合盛土材などを使用する。
その後、コンクリート１１を打設し、アスファルト路盤１２を敷設して道路などを形成する。道路の斜面側に側溝１３を設け、谷側にガードレール１４を設ける。
【００２１】
【発明の実施の形態２】
軽量ブロック体７０を直方体（四角柱体）に形成し、上下の積み重ね面に嵌合凹部７１または嵌合凸部７２を形成してもよい（図４参照）。
下段の軽量ブロック体７０の上面に、例えば嵌合凹部７１を形成し、上段の軽量ブロック体７０の下面に嵌合凸部７２を形成する。
下段の軽量ブロック体７０の上面に、上段の軽量ブロック体７０を積み重ねると嵌合凹部７１に嵌合凸部７２が嵌まり込み、規則性をもって盛土構造体１０を構築する。
また、図５に示すように所定の軽量ブロック体７０に電力用配線８０、通信用配線８１などを配置し、点検補修用にマンホール８２、８３を設置する。
【００２２】
【発明の効果】
本発明は、以上説明したようになるから次のような効果を得ることができる。
＜イ＞軽量ブロック体を六角柱体に形成した場合は、剛性の高いハニカム構造体を形成しながら積み上げることができ、背面土圧に対して安定した盛土構造体を構築することができる。
＜ロ＞貫通孔を設けた軽量ブロック体を段積みして盛土構造体を構築した場合は、貫通孔を電線や光ファイバーなどの配線の通路として利用することができる。
＜ハ＞産業廃棄物として処理に困っていた石炭灰などを再利用することができ、環境問題にも大きく貢献する。
＜ニ＞石炭灰などをセメントと混合固結してなる軽量ブロック体は、燃えにくく安全に施工することができる。
＜ホ＞石炭灰を混合固結して軽量ブロック体とするので、従来の発泡スチロール材で盛土構造体を構築する場合に比べて安価で経済的に構築することができる。
【図面の簡単な説明】
【図１】本発明の軽量ブロック体を積上げた斜視図。
【図２】軽量ブロック体を積上げて完成した盛土構造体の断面図。
【図３】壁体の斜視図。
【図４】本発明の他の例を示す断面図。
【図５】本発明の他の例を示す図で、（Ａ）は縦断面図。（Ｂ）は一部を断面した平面図。
【符号の説明】
１０・・・盛土構造体
２０・・・軽量ブロック体
２１・・・貫通孔
２２・・・上面
２３・・・底面
２４・・・側面
３０・・・壁体
３１・・・プレキャストコンクリート板
３２・・・接続具
５０・・・埋戻土
７０・・・軽量ブロック体
７１・・・嵌合凹部
７２・・・嵌合凸部
【図１】
2004011108.tif 000003
【図２】
2004011108.tif 000004
【図３】
2004011108.tif 000005
【図４】
2004011108.tif 000006
【図５】
2004011108.tif 000007